(57)【要約】【課題】液体状の食品,調味料や薬品類やパーマ液,モーターオイルなどを収容する液体用紙容器であって、液体用紙容器を片手で持って傾けて、収容した内容物を容易に注出することができる、液垂れなどを起す恐れがない液体用紙容器を提供する。【解決手段】本発明は、少なくとも外面紙材料層２とバリヤー層３と内面シーラント層４とを積層した紙積層材料製の、上面が長方形で平坦な直方体状の液体用紙容器において、長方形で平坦な上面ａの短辺ｄの、それぞれ直近の上面ａの短辺ｄと口栓本体５の先端とを結ぶ仮想直線ｋと上面ａとの仰角ｆが、液体用紙容器を傾けて内容物ｇを注出する口栓本体５の注出角ｈより、大きくなるような近傍の位置に、口栓本体５とキャップ６とから成るネジ式の注出口栓７を装着したことを特徴とする液体用紙容器である。【選択図】図２
2007076674.tif 000002
【特許請求の範囲】
【請求項１】
少なくとも外面紙材料層２とバリヤー層３と内面シーラント層４とを積層した紙積層材料製の、上面板群ａ、ａ、ａ、ａと側面板ｂ、ｂ、ｂ、ｂと底面板群ｃ、ｃ、ｃ、ｃとを連設して成る、上面が平坦な直方体の液体用紙容器において、平坦な上面ａの短辺ｄの近傍に、口栓本体５とキャップ６とから成るネジ式の注出口栓７を装着したことを特徴とする液体用紙容器。
【請求項２】
請求項１に記載のネジ式の注出口栓７を装着した液体用紙容器において、平坦な上面ａの短辺ｄの、それぞれ直近の上面ａの短辺ｄと口栓本体５の先端とを結ぶ仮想直線ｋと上面ａとの仰角ｆが、液体用紙容器を傾けて内容物ｇを注出する口栓本体５の注出角ｈより、大きくなるような近傍の位置に、口栓本体５とキャップ６とから成るネジ式の注出口栓７を装着したことを特徴とする液体用紙容器。
【請求項３】
請求項１又は請求項２に記載の液体用紙容器に装着したネジ式の注出口栓７において、口栓本体５の先端の外面側に、水平方向に鋭角な液垂れ防止リングｉを設けて、この液垂れ防止リングｉの下面側に、ほゞ水平の液垂れ防止凹面ｊを設けたことを特徴とする液体用紙容器。
【発明の詳細な説明】
【技術分野】
【０００１】
本発明は、液体状の食品、調味料や薬品類やパーマ液、モーターオイルなどを収容する紙積層材料製の、上面が平坦な直方体状の液体用紙容器であって、液体用紙容器を片手で持って傾けて、収容した内容物を容易に注出することができる、液垂れなどを起す恐れがない液体用紙容器に関する。
【背景技術】
【０００２】
従来から、液体状の食品、調味料や薬品類やパーマ液、モーターオイルなどを収容する紙積層材料製の、例えば図４Ａ、Ｂに示すような、上面板群ａ、ａ、ａ、ａと側面板ｂ、ｂ、ｂ、ｂと底面板群ｃ、ｃ、ｃ、ｃとを連設して成る、上面が平坦な又は上面が切妻屋根形の直方体状の液体用紙容器であって、上面の適宜の位置にネジ式の注出口栓７を装着した、内容量が２００〜３０００mlの液体用紙容器が、一般に広く用いられている。
【０００３】
この従来の、図４Ａ、Ｂに示す液体用紙容器の紙積層材料については、例えば図３Ｂに示すような、表面に美麗な印刷をした強度、保形性が優れた１５０〜５５０g/m2の適宜の外面紙材料層２と、各種バリヤー性が優れたセラミック蒸着やアルミニウム箔を積層した１２〜２５μmのポリエステル(PET)などのバリヤー層３と、熱融着性、密封性が優れた３０〜１００μmの低密度ポリエチレン(LDPE)などの内面シーラント層４とを、通常のウレタン系の接着剤などを介して積層した、強度、保形性や各種バリヤー性や熱融着性、密封性が優れた紙積層材料が、一般に広く用いられている。
【特許文献１】実開平６−５３４５３号公報
【発明の開示】
【発明が解決しようとする課題】
【０００４】
ところが従来の、図４Ａ、Ｂに示す上面が平坦な又は上面が切妻屋根形の直方体状の液体用紙容器については、強度、保形性や各種バリヤー性や熱融着性、密封性が優れた紙積層材料製の、一般に広く用いられている液体用紙容器であるものの、直方体状の液体用紙容器の平坦な又は切妻屋根形の上面が、殆ど正方形又は正方形に近い長方形であるために、内容量が１５００ml以上なると、この直方体状の液体用紙容器を片手で持って傾けることが難いことが問題であって、上面の適宜の位置に装着したネジ式の注出口栓７を開栓して、収容した液体状の食品、調味料や薬品類やパーマ液、モーターオイルなどを、液体用紙容器を両手で持って慎重に傾けて注出する必要があるなどの、収容した内容物を注出し難いことが問題であった。
【０００５】
また従来の、図４Ａ、Ｂに示す液体用紙容器に装着したネジ式の注出口栓７については、上面の適宜(図４Ａ、Ｂでは前半分の中央部)の位置に装着したために、顧客が液体用紙容器を両手で持って慎重に傾けて注出する時などに、図４Ａ、Ｂに示す液体用紙容器の上面の前端部などに、収容した内容物が液垂れなどを起す恐れがあって、特に液体状の薬品類やパーマ液、モーターオイルなどを注出する時に、直方体状の液体用紙容器の平坦な又は切妻屋根形の上面(から側面にかけて)を汚すことによって、手指を火傷したり備品を損傷したりする恐れがあった。
【０００６】
そこで、本発明の目的は、液体状の食品、調味料や薬品類やパーマ液、モーターオイルなどを収容する紙積層材料製の、上面が長方形で平坦な直方体状の液体用紙容器であって、液体用紙容器を片手で持って傾けて、収容した内容物を容易に注出することができる、液垂れなどを起す恐れがない液体用紙容器を提供することにある。
【課題を解決するための手段】
【０００７】
本発明の請求項１に記載の液体用紙容器は、少なくとも外面紙材料層２とバリヤー層３と内面シーラント層４とを積層した紙積層材料製の、上面板群ａ、ａ、ａ、ａと側面板ｂ、ｂ、ｂ、ｂと底面板群ｃ、ｃ、ｃ、ｃとを連設して成る、上面が平坦な直方体状の液体用紙容器において、図１、図２、図３に示すように、平坦な上面ａの短辺ｄの近傍に、口栓本体５とキャップ６とから成るネジ式の注出口栓７を装着したことを特徴とする液体用紙容器である。
【０００８】
本発明の液体用紙容器においては、少なくとも外面紙材料層２とバリヤー層３と内面シーラント層４とを積層した、前述した従来と同様の紙積層材料製の、上面板群ａ、ａ、ａ、ａと側面板ｂ、ｂ、ｂ、ｂと底面板群ｃ、ｃ、ｃ、ｃとを連設して成る、図１Ａに示す上面が長方形で平坦な直方体状の液体用紙容器において、長方形(図１Ａ、図３Ａでは縦と横との比が１:２)で平坦な上面ａの短辺ｄの近傍に、口栓本体５とキャップ６とから成るネジ式の注出口栓７を装着したことによって、
図２に示すように、注出下流側の短辺ｄの近傍に装着したネジ式の注出口栓７を開栓して、長方形で平坦な上面ａの、相対する長辺ｅ、ｅ側の側面板ｂ、ｂを片手(図１Ａ、図２では左手)で持って傾けて、収容した内容物ｇを容易に注出することができる、強度、保形性や各種バリヤー性や熱融着性、密封性が優れた紙積層材料製の液体用紙容器を得ることができる。
【０００９】
なお、図１Ａに示す平坦な直方体状の液体用紙容器の、上面の形状については、縦と横との比が１:１.４以上である長方形であることが好ましいものであって、内容量が１５００ml以上であっても、この上面ａの、相対する長辺ｅ、ｅ側の側面板ｂ、ｂを片手で持って傾けることが容易であることを、本願の液体用紙容器の発明者らは、豊富に経験しているものである。
【００１０】
本発明の請求項２に記載の液体用紙容器は、前述した請求項１に記載のネジ式の注出口栓７を装着した液体用紙容器において、図２に示すように、平坦な上面ａの短辺ｄの、それぞれ直近の上面ａの短辺ｄと口栓本体５の先端とを結ぶ仮想直線ｋと上面ａとの仰角ｆが、液体用紙容器を傾けて内容物ｇを注出する口栓本体５の注出角ｈ(口栓本体５の上流側の下端と下流側の先端とが水平になって内容物ｇが流出する時の、口栓本体５の水平面に対する傾斜角；図２を参照)より、大きくなるような近傍の位置に、口栓本体５とキャップ６とから成るネジ式の注出口栓７を装着したことを特徴とする液体用紙容器である。
【００１１】
本発明の液体用紙容器においては、長方形で平坦な上面ａの短辺ｄの、それぞれ直近の上面ａの短辺ｄと口栓本体５の先端とを結ぶ仮想直線ｋと上面ａとの仰角ｆが、液体用紙容器を傾けて内容物ｇを注出する口栓本体５の注出角ｈ(前述した図２を参照)より、大きくなるような近傍の位置に、口栓本体５とキャップ６とから成るネジ式の注出口栓７を装着したことによって、
前述と同様に、注出下流側の短辺ｄの近傍に装着したネジ式の注出口栓７を開栓して、長方形で平坦な上面ａの、相対する長辺ｅ、ｅ側の側面板ｂ、ｂを片手で持って傾けて、収容した内容物ｇを容易に注出する時に、図２に示すように、平坦な上面ａの注出下流側の短辺ｄに、注出した内容物ｇが全く接触しない、液垂れなどを起す恐れがない液体用紙容器を得ることができる。
【００１２】
なお、本発明の液体用紙容器において、前述した仮想直線ｋと上面ａとの仰角ｆが前述した口栓本体５の注出角ｈより等しいか又は小さくなるような、上面ａの短辺ｄの近傍の位置に、やむを得ず口栓本体５とキャップ６とから成るネジ式の注出口栓７を装着する場合には、ネジ式の注出口栓７の口栓本体５の高さを高く設計することによって、それぞれ
直近の上面ａの短辺ｄと口栓本体５の先端とを結ぶ仮想直線ｋと上面ａとの仰角ｆが大きくなって、また液体用紙容器を傾けて内容物ｇを注出する口栓本体５の注出角ｈ(前述した図２を参照)が小さくなって、同様に図２に示すように、長方形で平坦な上面ａの注出下流側の短辺ｄに、注出した内容物ｇが全く接触しない液体用紙容器を得ることができる。
【００１３】
本発明の請求項３に記載の液体用紙容器は、前述した請求項１又は請求項２に記載の液体用紙容器に装着したネジ式の注出口栓７において、図１Ｂ、図２に示すように、口栓本体５の先端の外面側に、水平方向に鋭角な液垂れ防止リングｉを設けて、この液垂れ防止リングｉの下面側に、ほゞ水平の液垂れ防止凹面ｊを設けたことを特徴とする液体用紙容器である。
【００１４】
本発明の液体用紙容器においては、前述した液体用紙容器に装着したネジ式の注出口栓７において、口栓本体５の先端の外面側に、水平方向に鋭角な液垂れ防止リングｉを設けて、この液垂れ防止リングｉの下面側に、ほゞ水平の液垂れ防止凹面ｊを設けたことによって、
前述と同様に、注出下流側の短辺ｄの近傍に装着したネジ式の注出口栓７を開栓して、長方形で平坦な上面ａの、相対する長辺ｅ、ｅ側の側面板ｂ、ｂを片手で持って傾けて、収容した内容物ｇを容易に注出した後に、口栓本体５の先端の外面側に設けた、水平方向(図２では口栓本体５の注出角ｈの方向)に鋭角な液垂れ防止リングｉが、内容物ｇの注出を確実にカットして液垂れを防止して、また液垂れ防止リングｉの下面側に設けた、ほゞ水平(図２では水平より凹んだ)の液垂れ防止凹面ｊが、内容物ｇの口栓本体５の外面側への流れ込みを防止する、さらに液垂れなどを起す恐れがない液体用紙容器を得ることができる。
【発明の効果】
【００１５】
以上、本発明の液体用紙容器においては、液体状の食品、調味料や薬品類やパーマ液、モーターオイルなどを収容する紙積層材料製の、上面が平坦な直方体状の液体用紙容器において、平坦な上面ａの短辺ｄの近傍に、口栓本体５とキャップ６とから成るネジ式の注出口栓７を装着したことによって、
図２に示すように、注出下流側の短辺ｄの近傍に装着したネジ式の注出口栓７を開栓して、平坦な上面ａの、相対する長辺ｅ、ｅ側の側面板ｂ、ｂを片手で持って傾けて、収容した内容物ｇを容易に注出することができる液体用紙容器であって、長方形で平坦な上面ａの注出下流側の短辺ｄに、注出した内容物ｇが全く接触しない、加えて液垂れ防止リングｉと液垂れ防止凹面ｊとの働きによって、液垂れなどを起す恐れがない液体用紙容器を提供することができる。
【発明を実施するための最良の形態】
【００１６】
以下、実施例１に示すとおりである。
【実施例１】
【００１７】
図１Ａは、本発明の実施例１における、ネジ式の注出口栓７を装着した液体用紙容器の斜視図であって、図１Ｂは、液体用紙容器に装着したネジ式の注出口栓７の断面図であって、また図２は、ネジ式の注出口栓７を装着した液体用紙容器を傾けて、内容物ｇを注出する状態を示す断面説明図である。
【００１８】
図３Ａは、本発明の実施例１における、液体用紙容器のブランクの平面図であって、図３Ｂは、液体用紙容器の紙積層材料の断面説明図である。
【００１９】
すなわち、熱融着性、耐水性を有する２０μmのポリエチレン(PE)の表面樹脂層８を熱
溶融して積層した、強度、保形性が優れた３５０g/m2の液体用上質紙の外面紙材料層２と、各種バリヤー性が優れたアルミニウム箔(９μm、図示せず)を積層した１２μmのポリエステル(PET)のバリヤー層３と、熱融着性、密封性が優れた６０μmの低密度ポリエチレン(LDPE)の内面シーラント層４とを、外面紙材料層２とバリヤー層３との間は、通常のウレタン系の接着剤(図示せず)を介して積層(ドライラミと言う)して、またバリヤー層３と内面シーラント層４との間は、熱溶融した２０μmの線状低密度ポリエチレン(LLDPE)の接着性樹脂層９を介して積層(エクストルージョンラミと言う)して、強度、保形性や各種バリヤー性や熱融着性、密封性が優れた、図３Ｂに示す液体用紙容器の紙積層材料を作製した。
【００２０】
次に、図３Ｂに示す液体用紙容器の紙積層材料の、外面紙材料層２の予めコロナ処理をした表面樹脂層８表面に、美麗な印刷をして、通常の打抜型を用いた打抜工程で、短辺ｄと３１mmφの取付け孔ｍの中心との距離が２３mmの、左の上面ａの短辺ｄの近傍に口栓本体５の取付け孔ｍを設けた上面板群ａ、ａ、ａ、ａと側面板ｂ、ｂ、ｂ、ｂと底面板群ｃ、ｃ、ｃ、ｃとを連設して成る、無駄が少ない一枚物の、図３Ａに示す液体用紙容器のブランクを作製した。
【００２１】
続いて、図３Ａに示す液体用紙容器のブランクの、左の上面ａの短辺ｄの近傍に設けた口栓本体５の取付け孔ｍに、口栓本体５の先端の外面側に、ほゞ水平の液垂れ防止凹面ｊを下面側に設けた水平方向に鋭角な液垂れ防止リングｉを設けた、口栓本体５の内径が２３mmで上面ａから先端までの高さが１５mmの口栓本体５とキャップ６とから成る、図１Ｂに示すネジ式の注出口栓７を装着した後に、従来と同様に、側面板ｂ、ｂ、ｂ、ｂによって筒状側壁を形成し、次に、底面板群ｃ、ｃ、ｃ、ｃを折り重ねて接着して容器底部を形成した。そして、その開口部から、業務用の２０００mlのオレンジジュースを充填し、この充填の後、上面板群ａ、ａ、ａ、ａを折り重ねて接着して、前記開口部を密封する上面ａを形成した。この液体用紙容器は、縦と横と高さとが８５×１７０×１５５mmの直方体状で、その上面は長方形で平坦である。また、図１Ａに示すように、その上面にはネジ式の注出口栓７を装着している。
【００２２】
本発明の実施例１における、図１Ａに示すネジ式の注出口栓７を装着した液体用紙容器については、ネジ式のキャップ６を外して、口栓本体５のプルリングを取除いて開栓した後に、図１Ａ、図２、図３Ａに示すように、縦と横との比が１:２の、８５×１７０mmの長方形で平坦な上面ａの、相対する長辺ｅ、ｅ側の側面板ｂ、ｂを左手で持って傾けて、収容した内容物ｇを容易に注出することができる、強度、保形性や各種バリヤー性や熱融着性、密封性が優れた紙積層材料製の液体用紙容器であって、
しかも、図２に示すように、それぞれ直近の上面ａの短辺ｄと口栓本体５の先端とを結ぶ仮想直線ｋと上面ａとの仰角ｆの５６度が、液体用紙容器を傾けて内容物ｇを注出する口栓本体５の注出角ｈ(口栓本体５の上流側の下端と下流側の先端とが水平になって内容物ｇが流出する時の、口栓本体５の水平面に対する傾斜角；図２を参照)の４９度より、充分大きいために、同様にして収容した内容物ｇを容易に注出する時に、長方形で平坦な上面ａの注出下流側の短辺ｄに、注出した内容物ｇが全く接触しない、液垂れなどを起す恐れがない液体用紙容器であって、
加えて、図２に示すように、同様にして収容した内容物ｇを容易に注出した後に、口栓本体５の先端の外面側に設けた、水平方向(図２では口栓本体５の注出角ｈの方向)に鋭角な液垂れ防止リングｉが、内容物ｇの注出を確実にカットして液垂れを防止して、また液垂れ防止リングｉの下面側に設けた、ほゞ水平の(図２では水平より凹んだ)の液垂れ防止凹面ｊが、内容物ｇの口栓本体５の外面側への流れ込みを防止する、さらに液垂れなどを起す恐れがない液体用紙容器を得ることができた。
【図面の簡単な説明】
【００２３】
【図１】本発明の実施例１における、図１Ａは、ネジ式の注出口栓７を装着した液体用紙容器の斜視図であって、図１Ｂは、液体用紙容器に装着したネジ式の注出口栓７の断面図である。
【図２】本発明の実施例１における、ネジ式の注出口栓７を装着した液体用紙容器を傾けて、内容物ｇを注出する状態を示す断面説明図である。
【図３】本発明の実施例１における、図３Ａは、液体用紙容器のブランクの平面図であって、図３Ｂは、液体用紙容器の紙積層材料の断面説明図である。
【図４】図４Ａ、Ｂは、従来の液体用紙容器の斜視図である。
【符号の説明】
【００２４】
２ …外面紙材料層
３ …バリヤー層
４ …内面シーラント層
５ …口栓本体
６ …キャップ
７ …ネジ式の注出口栓
８ …表面樹脂層
９ …接着性樹脂層
ａ …上面板群、上面
ｂ …側面板
ｃ …底面板群
ｄ …短辺
ｅ …長辺
ｆ …仮想直線ｋと上面ａとの仰角
ｇ …内容物
ｈ …口栓本体５の注出角
ｉ …液垂れ防止リング
ｊ …液垂れ防止凹面
ｋ …仮想直線
ｍ …取付け孔
【図１】
2007076674.tif 000003
【図２】
2007076674.tif 000004
【図３】
2007076674.tif 000005
【図４】
2007076674.tif 000006